(57)【特許請求の範囲】
【請求項１】
大気開放弁を介設したドレン配管の基端を第１の貯液タンクの上部に接続し、
第１の排水バルブを介設した第１の排水配管の基端を前記第１の貯液タンクの下部に接続し、
第２の排水バルブを介設した第２の排水配管の基端を第２の貯液タンクの下部に接続し、
連結配管の一端を前記第２の貯液タンクの上部に接続し、前記第１の排水配管の前記第１の排水バルブより上流側に他端を接続した排液装置において、
前記連結配管の他端の前記第１の排水配管への接続位置を前記第２の排水配管の前記第２排水バルブの高さ位置よりも高い位置にしたことを特徴とする排液装置。
【請求項２】
大気開放弁を介設したドレン配管の基端を第１の貯液タンクの上部に接続し、
第１の排水バルブおよび第２の排水バルブを介設した排水配管の一端を前記第１の貯液タンクの下部に接続し、他端を第２の貯液タンクの下部に接続し、
前記排水配管の前記第１の排水バルブと前記第２の排水バルブとの間の排水部位に排水口を設け、
連結配管の一端を前記第２の貯液タンクの上部に接続し、前記排水配管の前記第１の排水バルブより上流側で、且つ前記排水部位より高い位置に前記連結配管の他端を接続した排液装置。
【請求項３】
大気開放弁を介設したドレン配管の基端を第１の貯液タンクの上部に接続し、
第１の排水バルブを介設した第１の排水配管の基端を前記第１の貯液タンクの下部に接続し、
第２の排水バルブを介設した第２の排水配管の基端を前記第２の貯液タンクの下部に接続し、
連結配管の一端を前記第２の貯液タンクの上部に接続し、他端を前記第１の貯液タンクの下部に接続し、
水抜き栓を介設した水抜配管を前記連結配管の最下部に接続した排液装置。
【請求項４】
前記第２の貯液タンクの前記第１の貯液タンクへの接続と同じ構造を有するタンク配管構造体を前記第２の貯液タンクの後段に一つ以上直列に接続した請求項１乃至請求項３の何れかに記載の排液装置。
【発明の詳細な説明】
【０００１】
【発明の属する技術分野】
本発明は、同一の水平位置に設置された貯液タンクどうしを連結配管で連結した各貯液タンクから液体を排液する排液装置に関する。
【０００２】
【従来の技術】
例えば、電気温水器では、耐圧性を確保するため一般的にタンクは円筒状に形成されているが、一つのタンクによって必要な貯湯量を確保しようとすると貯湯槽の形状の自由度が損なわれるため、貯湯タンク１０２、１０３どうしを連結配管１０１で連結している（図８参照）。
【０００３】
この電気温水器の排湯装置１００は、逃がし弁１０４を介設したドレン配管１０５の基端１０６を貯湯タンク１０２の上部に接続し、排水バルブ１０７を介設した排水配管１０８の基端１０９を貯湯タンク１０２の下部に接続し、排水バルブ１１０を介設した排水配管１１１の基端１１２を貯湯タンク１０３の下部に接続し、連結配管１０１の一端１１３を貯湯タンク１０３の上部に接続し、他端１１４を排水配管１０８の排水バルブ１０７より上流側に接続している。
なお、連結配管１０１は、負圧弁１１５を介設したドレン配管１１６を接続している。
【０００４】
逃がし弁１０４は、貯湯タンク１０３内に導入された水が加熱装置（ヒートポンプ）によって加熱されて貯湯タンク１０２に戻った時に、その温度変化に伴う体積膨張によるタンク内圧の上昇を制限するために設けられている。
具体的には、貯湯タンク１０２内の圧力が所定圧力を越えると開弁して大気に連通することにより、貯湯タンク１０２、１０３内の圧力を所定圧以下に調節する。なお、開弁時には、僅かであるが、温水も排出されるためドレン配管１０５がドレンに接続されている。
【０００５】
貯湯タンク１０２、１０３内に湯（水）を貯めた状態で、電気温水器を長期間使用しない場合には、衛生上の問題等から貯湯タンク１０２、１０３内の湯（水）を排水する必要がある。
この場合には、逃がし弁１０４および負圧弁１１５を開き、更に、排水バルブ１０７、１１０を開く。
【０００６】
【発明が解決しようとする課題】
上記従来の排湯装置１００では、負圧弁１１５とドレン配管１１６に係る部品代分のコスト、その配設スペース、およびメンテナンスが必要である。
本発明の目的は、第２の貯液タンク（貯湯タンク１０２）側に、負圧弁を介設した配管を取り付けることなく、各貯液タンク内の液体を完全に抜くことができる排液装置の提供にある。
【０００７】
【課題を解決するための手段】
［請求項１について］
排液装置は、大気開放弁を介設したドレン配管の基端を第１の貯液タンクの上部に接続し、第１の排水バルブを介設した第１の排水配管の基端を第１の貯液タンクの下部に接続し、第２の排水バルブを介設した第２の排水配管の基端を第２の貯液タンクの下部に接続し、連結配管の一端を第２の貯液タンクの上部に接続し、第１の排水配管の第１の排水バルブより上流側に他端を接続している。
そして、連結配管の他端の第１の排水配管への接続位置を第２の排水配管の第２排水バルブの高さ位置よりも高い位置にしている。
【０００８】
第１、第２の貯液タンク内の液体を排液する際には、大気開放弁、および第１、第２の排水バルブを開く。
まず、第１の貯液タンク内の液体の排水が行われる。
そして、連結配管の他端の第１の排水配管への接続位置を第２の排水配管の第２排水バルブの高さ位置よりも高い位置に有るため、第１の貯液タンク内の液体の液位がその接続位置より下回ると、第２の貯液タンク内の液体が第２の排水配管を介して排水され始めるので、連結配管内の液体が第２の貯液タンク内に引き込まれる。
連結配管内の液体が第２の貯液タンク内に全て引き込まれると、第２の貯液タンク内が大気に開放されるので第２の貯液タンク内の液体が一気に排水される。
【０００９】
排液装置は、第２の貯液タンク側に、負圧弁を介設した配管を取り付けることなく、連結配管および各貯液タンク内の液体を完全に抜くことができる。
このため、排液装置は、負圧弁を配管に介設した負圧配管構造に係る部品代分のコストが削減できるとともに、その配設スペースが不要であり、更にそのメンテナンスが不要である。
【００１０】
〔請求項２について〕
排液装置は、大気開放弁を介設したドレン配管の基端を第１の貯液タンクの上部に接続し、第１の排水バルブおよび第２の排水バルブを介設した排水配管の一端を第１の貯液タンクの下部に接続し、他端を第２の貯液タンクの下部に接続し、連結配管の一端を第２の貯液タンクの上部に接続し、排水配管の第１の排水バルブより上流側で、且つ排水部位より高い位置に他端を接続している。
そして、排水配管の第１の排水バルブと第２の排水バルブとの間の排水部位に排水口を設けている。
【００１１】
第１、第２の貯液タンク内の液体を排液する際には、大気開放弁、および第１、第２の排水バルブを開く。
先ず、第１の貯液タンク内の液体の排水が行われる。
【００１２】
連結配管の排水配管への接続位置が排水部位より高い位置に有るため、第１の貯液タンク内の液体の液位がその接続位置より下回ると、第２の貯液タンク内の液体が排水配管を介して排水され始めるので、連結配管内の液体が第２の貯液タンク内に引き込まれる。
連結配管内の液体が第２の貯液タンク内に全て引き込まれると、第２の貯液タンク内が大気に開放されるので第２の貯液タンク内の液体が一気に排水される。
【００１３】
排液装置は、第２の貯液タンク側に、負圧弁を介設した配管を取り付けることなく、連結配管および各貯液タンク内の液体を完全に抜くことができる。
このため、排液装置は、負圧弁を配管に介設した負圧配管構造に係る部品代分のコストが削減できるとともに、その配設スペースが不要であり、更にそのメンテナンスが不要である。また、排水が一カ所から行える。
【００１４】
［請求項３について］
排液装置は、大気開放弁を介設したドレン配管の基端を第１の貯液タンクの上部に接続し、第１の排水バルブを介設した第１の排水配管の基端を第１の貯液タンクの下部に接続し、第２の排水バルブを介設した第２の排水配管の基端を第２の貯液タンクの下部に接続し、連結配管の一端を第２の貯液タンクの上部に接続し、他端を第１の貯液タンクの下部に接続している。
そして、水抜き栓を介設した水抜配管を連結配管の最下部に接続している。
【００１５】
第１、第２の貯液タンク内の液体を排液する際には、大気開放弁、および第１、第２の排水バルブ、および水抜栓を開く。
先ず、第１の貯液タンク内の液体の排水が行われる。
そして、水抜き栓を介設した水抜配管を連結配管の最下部に接続しているので、第１の貯液タンク内の液体が抜けると、連結配管内の液体が水抜配管から抜け始め、抜け切ると第２の貯液タンク内が大気に開放されるので第２の貯液タンク内の液体が第２の排水配管から一気に排水される。
【００１６】
排液装置は、第２の貯液タンク側に、負圧弁を介設した配管を取り付けることなく、連結配管および各貯液タンク内の液体を完全に抜くことができる。
このため、排液装置は、負圧弁を配管に介設した負圧配管構造に係る部品代分のコストが削減できるとともに、その配設スペースが不要であり、更にそのメンテナンスが不要である。
【００１７】
〔請求項４について〕
排液装置は、請求項１乃至請求項３の何れかに記載の構成を有し、第２の貯液タンクの第１の貯液タンクへの接続と同じ構造を有するタンク配管構造体を第２の貯液タンクの後段に一つ以上直列に接続している。
排液装置は、第２の貯液タンク側、およびその後段に接続する貯液タンク側、負圧弁を介設した配管を取り付けることなく、連結配管および各貯液タンク内の液体を完全に抜くことができる。
このため、排液装置は、負圧弁を配管に介設した負圧配管構造に係る部品代分のコストが削減できるとともに、それらの配設スペースが不要であり、更にそれらのメンテナンスが不要である。
【００１８】
【発明の実施の形態】
つぎに、本発明の第１実施例（請求項１に対応）を図１および図２に基づいて説明する。
図１、２に示す如く、給湯装置Ａは、給湯用の湯を貯湯する貯湯タンク１、２と、湯を作製する加熱装置（図示せず）とを備え、後述する排水機構を採用している。
【００１９】
貯湯タンク１、２は、円筒状であり、それぞれ、１５０リットルの容積を有する。
貯湯タンク１の上部には、逃がしバルブ１１（大気開放弁）を介設したドレン配管１２が接続され、該ドレン配管１２からは給湯用の温水配管１３が分岐している。また、加熱装置の出湯配管３１がタンク上部側に接続されている。
【００２０】
貯湯タンク１、２は、熱湯化によって水の体積が膨張してタンク内圧が高まるが、逃がしバルブ１１により一定圧力以下に保たれる。
貯湯タンク１の下部には、排水バルブ１４を介設した排水配管１５の基端１６が接続されている。
【００２１】
貯湯タンク２には、タンク下部に連結した、減圧バルブ（図示せず）を介設した給水配管２１を介して水が給水源から供給される。
減圧バルブは、給水源から供給される水の給水圧を下げて所定圧力以下に保持する役目を有する。
また、貯湯タンク２の下部の他の位置には、加熱装置の給水配管３２や、排水バルブ２２を介設した排水配管２３の基端２４が接続されている。
【００２２】
４は連結配管であり、一端４１を貯湯タンク２の上部に接続し、排水配管１５の排水バルブ１４より上流側に他端４２を接続している。なお、連結配管４の他端４２の排水配管１５への接続箇所は、排水配管２３の排水部位２３１（排水配管２３の水平延出部分）より高い位置であり、排水機構の主要部分を形成している。
【００２３】
加熱装置は、水を給水配管３２から貯湯タンク２内に供給し、作製した湯を出湯配管３１を介して貯湯タンク１の上部に送り込む。
タンク上部に送り込まれた湯は、湯と冷水との比重差のため貯湯タンク１の上部に臨み、上部から順に貯湯される。
【００２４】
貯湯タンク１、２内の熱湯は、貯湯タンク１、２の各容積位置に配したサーミスタ（図示せず）によって、その大凡の貯湯量が検出される。
【００２５】
つぎに、給湯装置Ａにおける、貯湯タンク１、２内の湯（水）を排水する際の排水機構の作動について述べる。
貯湯タンク１、２内に湯（水）を貯めた状態で、給湯装置Ａを数日以上使用しなかった場合には、衛生上の問題等から貯湯タンク１、２内の湯（水）を排水する必要がある。
この場合には、逃がしバルブ１１を手動で開弁状態にし、排水バルブ１４、２２を共に開く。
【００２６】
これにより、先ず、貯湯タンク１内の湯の排水が行われる。
連結配管４の排水配管１５への接続位置が排水配管２３の排水部位２３１（排水配管２３の水平延出部分）より高い位置に有るため、貯湯タンク１内の湯の液面がその接続位置より下回ると、貯湯タンク２内の湯が排水配管２３を介して排水され始めるので、連結配管４内の湯が貯湯タンク２内に引き込まれる。
連結配管４内の湯が貯湯タンク２内に全て引き込まれると、貯湯タンク２内が大気に開放されるので貯湯タンク２内の湯が一気に排水される。
【００２７】
本実施例の給湯装置Ａは、以下の利点を有する。
給湯装置Ａは、負圧弁を介設した配管を貯湯タンク２側に設けることなく、連結配管４および貯湯タンク１、２内の湯（水）を完全に抜くことができる。
このため、給湯装置Ａは、負圧弁を配管に介設した負圧配管構造に係る部品代分のコストが削減できる。
【００２８】
負圧弁を配管に介設した負圧配管構造が占める突起部分がなくなるので断熱が行い易くなり保温性能が向上する。
負圧弁の固着による排水不良の虞がなく、且つ、負圧弁がないので負圧弁のメンテナンスが不要である。
【００２９】
つぎに、本発明の第２実施例（請求項２に対応）を図３に基づいて説明する。
図３に示す給湯装置Ｂは、下記の構成が給湯装置Ａと異なる。
排水バルブ１４および排水バルブ２２を介設した排水配管２０の一端２０１を貯湯タンク１の下部に接続し、他端２０２を貯湯タンク２の下部に接続し、排水配管２０の排水バルブ１４、２２間の排水部位２０３（排水配管２０の水平部分）に排水口を設けている。
【００３０】
４は連結配管であり、一端４１を貯湯タンク２の上部に接続し、排水配管２０の排水バルブ１４より上流側に他端４２を接続している。なお、連結配管４の他端４２の排水配管２０への接続箇所は、排水配管２０の排水部位２０３より高い位置であり、排水機構の主要部分を形成している。
【００３１】
つぎに、給湯装置Ｂにおける、貯湯タンク１、２内の湯（水）を排水する際の排水機構の作動について述べる。
貯湯タンク１、２内の湯（水）を排水する場合には、逃がしバルブ１１を手動で開弁状態にし、排水バルブ１４、２２を共に開く。
【００３２】
先ず、貯湯タンク１内の湯（水）の排水が行われる。
連結配管４の排水配管２０への接続位置が排水部位２０３より高い位置に有るため、貯湯タンク１内の湯の液面がその接続位置より下回ると、貯湯タンク２内の湯が排水配管２３を介して排水され始めるので、連結配管４内の湯が貯湯タンク２内に引き込まれる。
連結配管４内の湯が貯湯タンク２内に全て引き込まれると、貯湯タンク２内が大気に開放されるので貯湯タンク２内の液体が一気に排水される。
【００３３】
本実施例の給湯装置Ｂは、以下の利点を有する。
給湯装置Ｂは、負圧弁を介設した配管を貯湯タンク２側に設けることなく、連結配管４および貯湯タンク１、２内の湯（水）を完全に抜くことができる。
このため、給湯装置Ｂは、負圧弁を配管に介設した負圧配管構造に係る部品代分のコストが削減できる。
【００３４】
負圧弁を配管に介設した負圧配管構造が占める突起部分がなくなるので断熱が行い易くなり保温性能が向上する。
負圧弁の固着による排水不良の虞がなく、且つ、負圧弁がないので負圧弁のメンテナンスが不要である。
排水が一カ所から行えるので、排水管の取り回しが楽である。
【００３５】
つぎに、本発明の第３実施例（請求項３に対応）を図４に基づいて説明する。
図４に示す給湯装置Ｃは、下記の構成が給湯装置Ａと異なる。
連結配管４の一端４１を貯湯タンク２の上部に接続し、他端４２を貯湯タンクの下部に接続し、水抜き栓４３を介設した水抜配管４４を連結配管４の排水部位４５（連結配管４の水平部分）に接続している。
【００３６】
つぎに、給湯装置Ｃにおける、貯湯タンク１、２内の湯（水）を排水する際の排水機構の作動について述べる。
貯湯タンク１、２内の湯（水）を排水する場合には、逃がしバルブ１１を手動で開弁状態にし、排水バルブ１４、２２を共に開き、水抜き栓４３を開く。
【００３７】
先ず、貯湯タンク１内の湯の排水が行われる。
水抜き栓４３を介設した水抜配管４４を連結配管４の排水部位４５に接続しているので、貯湯タンク１内の湯が抜けると、連結配管４内の湯が水抜配管４４から抜け始め、抜け切ると貯湯タンク２内が大気に開放されるので貯湯タンク２内の湯が排水配管２３から一気に排水される。
【００３８】
給湯装置Ｃは、負圧弁を介設した配管を貯湯タンク２側に設けることなく、連結配管４および貯湯タンク１、２内の湯（水）を完全に抜くことができる。
このため、給湯装置Ｃは、負圧弁を配管に介設した負圧配管構造に係る部品代分のコストが削減できる。
【００３９】
負圧弁を配管に介設した負圧配管構造が占める突起部分がなくなるので断熱が行い易くなり保温性能が向上する。
負圧弁の固着による排水不良の虞がなく、且つ、負圧弁がないので負圧弁のメンテナンスが不要である。
貯湯タンク１内の湯が二つの経路で排水されるので排水時間を短くすることができる。なお、水抜き栓４３を介設した水抜配管４４が必要であるものの、貯湯タンク１、２の下方であるので邪魔にならない。
【００４０】
本発明は、上記実施例以外につぎの実施態様を含む。
ａ．貯湯タンク２の貯湯タンク１への接続と同じ構造を有するタンク配管構造体を貯湯タンク２の後段に一つ以上直列に接続しても良い。
例えば、図５に示す様に、給湯装置Ａに貯湯タンク５を付加して給湯量を増やした給湯装置Ｄは、排水バルブ５１を介設した排水配管５２の基端５３を貯湯タンク５の下部に接続し、連結配管５４の一端５５を貯湯タンク５の上部に接続し、排水配管２３の排水バルブ２２より上流側に他端５６を接続している。なお、連結配管５４の他端５６の排水配管２３への接続位置は、排水配管５２の排水部位５０より高い位置である（請求項１を引用した請求項４に対応）。
【００４１】
貯湯タンク１、２、５内の湯（水）を排水する場合には、逃がしバルブ１１を手動で開弁状態にし、排水バルブ１４、２２、５１を共に開く。
これにより、負圧弁を介設した配管を貯湯タンク２、５側に設けることなく、連結配管４、５４および貯湯タンク１、２、５内の湯（水）を完全に抜くことができる。
【００４２】
また、図６に示す様に、給湯装置Ｂに貯湯タンク５を付加して給湯量を増やした給湯装置Ｅは、排水バルブ５１を介設した排水配管５２の基端５３を貯湯タンク５の下部に接続し、連結配管５４の一端５５を貯湯タンク５の上部に接続し、排水配管２３の排水バルブ２２より上流側に他端５６を接続している。なお、連結配管５４の他端５６の排水配管２３への接続位置は、排水配管５２の排水部位５０より高い位置である（請求項２を引用した請求項４に対応）。
【００４３】
貯湯タンク１、２、５内の湯（水）を排水する場合には、逃がしバルブ１１を手動で開弁状態にし、排水バルブ１４、２２、５１を共に開く。
これにより、負圧弁を介設した配管を貯湯タンク２、５側に設けることなく、連結配管４、５４および貯湯タンク１、２、５内の湯（水）を完全に抜くことができる。
【００４４】
更に、図７に示す様に、給湯装置Ｃに貯湯タンク５を付加して給湯量を増やした給湯装置Ｆは、排水バルブ５１を介設した排水配管５２の基端５３を貯湯タンク５の下部に接続し、連結配管５４の一端５５を貯湯タンク５の上部に接続し、他端５６を貯湯タンク２の下部に接続し、水抜き栓５７を介設した水抜配管５８を連結配管５４の排水部位５９に接続している（請求項３を引用した請求項４に対応）。
【００４５】
貯湯タンク１、２、５内の湯（水）を排水する場合には、逃がしバルブ１１を手動で開弁状態にし、排水バルブ１４、２２、５１を共に開き、水抜き栓４３、５７を開く。
これにより、負圧弁を介設した配管を貯湯タンク２、５側に設けることなく、連結配管４、５４および貯湯タンク１、２、５内の湯（水）を完全に抜くことができる。
【００４６】
ｂ．排水バルブ１４、２２、５１、水抜き栓４３、５７は、電動式であっても良い。
ｃ．液体は水以外であっても良い。
【図面の簡単な説明】
【図１】本発明の第１実施例に係る給湯装置の構成図である。
【図２】その給湯装置の要部拡大図である。
【図３】本発明の第２実施例に係る給湯装置の構成図である。
【図４】本発明の第３実施例に係る給湯装置の構成図である。
【図５】本発明の他の実施例に係る給湯装置の構成図である。
【図６】本発明の他の実施例に係る給湯装置の構成図である。
【図７】本発明の他の実施例に係る給湯装置の構成図である。
【図８】従来技術に係る給湯装置の構成図である。
【符号の説明】
Ａ、Ｂ、Ｃ、Ｄ、Ｅ、Ｆ  給湯装置（排液装置）
１  貯湯タンク（第１の貯液タンク）
２  貯湯タンク（第２の貯液タンク）
４  連結配管
１１  逃がしバルブ（大気開放弁）
１２  ドレン配管
１４  排水バルブ（第１の排水バルブ）
１５  排水配管（第１の排水配管）
１６、２４  基端
２２  排水バルブ（第２の排水バルブ）
２３  排水配管（第２の排水配管）
４１  一端
４２  他端
４３、５７  水抜き栓
４４、５８  水抜配管
５０、２３１  排水部位
【図１】
0004666745.tif 000002
【図２】
0004666745.tif 000003
【図３】
0004666745.tif 000004
【図４】
0004666745.tif 000005
【図５】
0004666745.tif 000006
【図６】
0004666745.tif 000007
【図７】
0004666745.tif 000008
【図８】
0004666745.tif 000009